(57)【要約】【課題】使用者に対して爽快感や面白味等を与えると共に、幼児に対しては励ましにもなる音声機能を備えた歯ブラシを提供する。【解決手段】歯磨き動作に応じて振動する接触端子の振動毎に電源スイッチの瞬間的な閉成状態とすることによりパルスを発生する接触式接点機構２と、接触式接点機構２からのパルスを加算するカウンタ回路３と、カウンタ回路３によるパルスの加算値が所定の値に到達したときに音声メッセージまたはメロディーを発声する発音体４とを備える。発音体４は、カウンタ回路３によるパルスの加算値の異なる到達値に応じて異なる音声メッセージやメロディーを発声するように構成する。【選択図】　　　　　図２
2004065838.tif 000002
【特許請求の範囲】
【請求項１】
音声発生装置を収容した把手部と、
柄部が弾性部材を介して前記把手部に支持され柄部の端部が歯磨き動作に対応して把手内で移動する歯ブラシ部と、
前記端部と把手内壁間に設けられた環状の接点と棒状の接点からなる接触式接点機構とを含み、
前記音声発生装置は、前記接触式接点機構の動作に従ってなされるように構成した音声機能を備えた歯ブラシ。
【請求項２】
前記音声発生装置は、電源制御手段、カウンタ回路、音声記録再生装置および発音体を含み、前記カウンタ回路は前記接触式接点機構からのパルスを加算し、前記音声記録再生装置は前記カウンタ回路による前記パルスの加算値が所定の値に到達したときに音声メッセージまたはメロディーを再生し前記発音体により発生させる請求項１記載の音声機能を備えた歯ブラシ。
【請求項３】
前記歯ブラシの柄部を支持する弾性部材は防水性のパッキング部材である請求項１記載の音声機能を備えた歯ブラシ。
【請求項４】
前記接触式接点機構は、歯ブラシの柄部分の端部に突設された突起状の移動側接触端子と、移動側接触端子が環状接点の中央に挿入され、歯ブラシの柄部分の揺動によって当該移動側接触端子が環状接点内径部に接触可能としたリング状の固定側接触端子とを備えるものである請求項１記載の音声機能を備えた歯ブラシ。
【請求項５】
前記移動側接触端子の振動による固定側接触端子への最初の接触により電源スイッチの閉成状態となった際に、カウンタ回路の作動電源入力をオン状態にすると共に、所定秒数の間にカウンタ回路にパルスが入力しないとカウンタ回路の作動電源入力をオフ状態にする電源入力制御手段を備えている請求項１または２記載の音声機能を備えた歯ブラシ。
【発明の詳細な説明】
【０００１】
【発明の属する技術分野】
本発明は、歯ブラシの歯磨き動作に伴って発声する音声メッセージまたはメロディー等により、例えば幼児を励ましたり、あるいは子供から大人にいたるまで爽快感を促したりするための音声機能を備えた歯ブラシに関する。
【０００２】
【従来の技術】
従来、例えば幼児用の歯ブラシには、把手部に様々なキャラクターの絵柄や造形物が施されているものがある。そして幼児はこれを見て楽しみながら歯磨きを行なうのである。また、子供から大人にかけて使用される従来の歯ブラシは、使いやすさを向上させるために様々な形態のものが提案されている。
最近電子部品の小型化にともない、歯ブラシ内に電子回路を組み込んで歯磨き動作と関連させて、音楽等を再生する装置の提案がある。
把手部分に独立したスイッチを設けそのスイッチを操作することにより、音声を発生するものや、歯ブラシで歯を磨き始めるとスイッチがオンになり音楽を発生するもの（米国特許第４，３４１，２３０）も提案されている。
【０００３】
【発明が解決しようとする課題】
しかし前述の歯磨き動作に連動するスイッチを用いるものは、スイッチの動作方向が一方向に制限され、複雑な運動に正確に対応できるものはなかった。
【０００４】
本発明の目的は、歯磨きにおける、ブラシの複雑な動作にも対応できるスイッチを用い、そのスイッチ動作に依存して、音声等を発生させる音声発生機能をもつ歯ブラシを提供することにある。
【０００５】
【課題を解決するための手段】
前記目的を達成するために、本発明による音声機能を備えた歯ブラシは、
音声発生装置を収容した把手部と、
柄部が弾性部材を介して前記把手部に支持され柄部の端部が歯磨き動作に対応して把手内で移動する歯ブラシ部と、
前記端部と把手内壁間に設けられた環状の接点と棒状の接点からなる接触式接点機構とを含み、
前記音声発生装置は、前記接触式接点機構の動作に従ってなされるように構成されている。
さらに、本発明による歯ブラシは、歯磨き動作に応じて移動する接触端子の振動毎にパルスを発生させる接触式接点機構２と、接触式接点機構２からのパルスを加算するカウンタ回路３と、カウンタ回路３によるパルスの加算値が所定の値に到達したときに音声メッセージまたはメロディーを発声させる発音体４とを備えたものである。
前記発音体４はカウンタ回路３によるパルスの加算値の異なる到達値に応じて異なる音声メッセージまたはメロディーを発声させ、前記接触式接点機構２は歯ブラシの柄部分が弾性体による防水性のパッキング部材を介して揺動可能となるように嵌装されている中空状の把手部２０に内蔵され、前記発音体４は把手部２０末端側に内蔵されており、前記接触式接点機構２は歯ブラシの柄部分の端部に突設された突起状の移動側接触端子２Ｂと、移動側接触端子２Ｂがリング内中央に挿入され、歯ブラシの柄部分の振動によって当該移動側接触端子２Ｂがリング内径部に接触可能としたリング状の固定側接触端子２Ａとを備え、固定側接触端子２Ａおよび移動側接触端子２Ｂは共にカウンタ回路３の入力側に接続されており、歯磨き動作に応じて移動側接触端子２Ｂが固定側接触端子２Ａのリング内径部に接触されることでパルスを発生させカウンタ回路３に送るものとして構成することができる。
移動側接触端子２Ｂの振動による固定側接触端子２Ａへの最初の接触により電源スイッチの閉成状態となった際に、カウンタ回路３の作動電源入力をオン状態にすると共に、所定秒数の間にカウンタ回路３にパルスが入力しないとカウンタ回路３の作動電源入力をオフ状態にする電源入力制御手段６を備えているものとすることができる。
【０００６】
以上のように構成された本発明に係る音声機能を備えた歯ブラシにおいて、接触式接点機構２は、歯磨き動作に応じて振動する柄部分の移動側接触端子２Ｂをリング状の固定側接触端子２Ａに瞬間的に接触させることでパルスを発生させ、このパルスをカウンタ回路３へ送る。
このとき電源入力制御手段６は、移動側接触端子２Ｂの振動による固定側接触端子２Ａへの最初の接触により電源スイッチの閉成状態となった際に、カウンタ回路３への作動電源入力がオン状態となるように制御する。
発音体４は、カウンタ回路３に送られたパルスの加算値が所定の値に到達したときに音声メッセージやメロディーを発声させる。
このとき発音体４は、カウンタ回路３に送られたパルスの加算値の異なる到達値として、例えば２０回目、５０回目、７０回目、１００回目等のいずれかに応じて例えば幼児に対しては「まだまだ」「頑張ろう」「もう少し」「よく磨いたね」等の如く、また子供や大人に対しては「磨きが足りません」「まだまだ不十分です」「もう少し丁寧に」「十分に磨かれました」等の異なる音声メッセージを発声させたり、前記メッセージに替えて例えばクラシック音楽・アイドル歌手の音楽・演歌等の異なるメロディーを発生させたりする。
また電源入力制御手段６により、所定秒数の間にカウンタ回路３にパルスが入力しないとカウンタ回路３への作動電源入力がオフ状態となるように制御する。
【０００７】
【発明の実施の形態】
以下図面を参照して本発明の一実施の形態を説明すると、図において示される符号１は、中空状の把手部２０と、柄部分を有する歯ブラシ部１０とから成る内部に音声機能を備えた歯ブラシであり、この歯ブラシ１は、歯磨き動作に応じて振動する接触端子の振動毎に電源スイッチの瞬間的な閉成状態となってパルスを発生させる接触式接点機構２と、接触式接点機構２からのパルスを加算するための例えばＴ型フリップフロップを組合せて使用した２進法型計数回路を使用する等したカウンタ回路３と、カウンタ回路３によるパルスの加算値が所定の値に到達したときに音声メッセージやメロディー等を発声させる例えば電源電圧１．３Ｖ用の圧電発音体等のスピーカーを利用した音声ＩＣ回路による発音体４とを備えている。そして接触式接点機構２は、歯ブラシ部１０から延設されている柄部分が弾性体による防水性の筒状のパッキング部材を介して揺動可能となるように嵌装されている中空状の把手部２０に内蔵され、発音体４は把手部２０末端側に内蔵されており、把手部２０に対して共に交換可能に入れ込み式となって封止された状態に形成されている。
【０００８】
この発音体４は、カウンタ回路３によるパルスの加算値の異なる到達値に応じて異なる音声メッセージやメロディー等を発声させるよう加算値対応の音声記録再生装置５が設けられている。具体的には発音体４は、カウンタ回路３に送られたパルスの加算値の異なる到達値、例えば２０回目、５０回目、７０回目、１００回目等のいずれかに応じてスピーカーから例えば幼児に対しては「まだまだ」「頑張ろう」「もう少し」「よく磨いたね」等の如く、また子供や大人に対しては「磨きが足りません」「まだまだ不十分です」「もう少し丁寧に」「十分に磨かれました」等の異なる音声メッセージを発声させたり、前記メッセージに替えて例えばクラシック音楽・アイドル歌手の音楽・演歌等の異なるメロディーを発生させたりするように形成してある。
【０００９】
具体的な接触式接点機構２の構成としては、図１に示すように、把手部２０の先端側内部にリング状の固定側接触端子２Ａが横向きに固定配置され、このリング状の固定側接触端子２Ａのリング内側には、歯ブラシ部１０の柄部分先端側から横側に突出した状態で固定された突起状の移動側接触端子２Ｂが挿入配置されている。そして、固定側接触端子２Ａおよび移動側接触端子２Ｂは共にカウンタ回路３の入力側に接続されており、歯磨き動作に応じて柄部分と一体となって振動する移動側接触端子２Ｂをリング状の固定側接触端子２Ａに瞬間的に接触させることでパルスを発生させカウンタ回路３に送るようにしてある。
【００１０】
また、図２に示すように、例えば接触式接点機構２とカウンタ回路３との間には電源入力制御手段６が設けられており、移動側接触端子２Ｂの振動による固定側接触端子２Ａへの最初の接触で電源スイッチの瞬間的な閉成状態とされた際に、カウンタ回路３の作動電源入力がオン状態となるように制御すると共に、所定秒数の間にカウンタ回路３にパルスが入力しないとカウンタ回路３の作動電源入力がオフ状態となるように制御する。具体的には、例えばカウンタ回路３へのパルスの入力の繰り返しが一定時間、例えば２秒以上続いたときに、音声発生装置によって音声メッセージやメロディー等を出力するように形成する。
【００１１】
尚、本実施の形態では接触式接点機構２により、歯磨き動作に応じて振動する接触端子の振動毎に電源スイッチの瞬間的な閉成状態となってパルスを発生させるようにしてあるが、この接触式接点機構２とは別構成のパルス発生回路（図示せず）を接触式接点機構２とカウンタ回路３との間に介設し、接触式接点機構２による歯磨き動作に応じて振動する接触端子の振動毎にパルス発生回路により例えば一定出力の矩形波パルス等を発生させても良い。
【００１２】
次に、以上のように構成された実施の形態についての使用、動作の一例を説明する。歯ブラシ１に歯磨き粉を付けてから歯を磨くときの歯磨き動作に応じて把手部２０に対して、パッキング部材を介して保持されている柄部分が横ぶれ方向に振動すると、接触式接点機構２における移動側接触端子２Ｂがリング状の固定側接触端子２Ａのリング内径部に瞬間的に接触される。この接触の繰り返しによって断続的なパルスを発生させ、このパルスはカウンタ回路３へ送られる。このとき電源入力制御手段６により、移動側接触端子２Ｂの振動による固定側接触端子２Ａへの最初の接触で電源スイッチの閉成状態となった際に、カウンタ回路３への作動電源入力がオン状態となり、カウンタ回路３の計数動作が続行される。
【００１３】
そして、カウンタ回路３に送られたパルスの加算値が所定の値に到達したときに発音体４により音声メッセージまたはメロディーが発声される。例えば発音体４は、カウンタ回路３に送られたパルスの加算値の異なる到達値、例えば２０回目、５０回目、７０回目、１００回目等のいずれかに応じてスピーカーからは、例えば幼児に対しては「まだまだ」「頑張ろう」「もう少し」「よく磨いたね」等の如く、また子供や大人に対しては「磨きが足りません」「まだまだ不十分です」「もう少し丁寧に」「十分に磨かれました」等の異なる音声メッセージを発声させたり、前記メッセージに替えて例えばクラシック音楽・アイドル歌手の音楽・演歌等の異なるメロディーを発生させたりする。一方、電源入力制御手段６により、所定秒数の間にカウンタ回路３にパルスが入力しないとカウンタ回路３への作動電源入力がオフ状態となり、カウンタ回路３の計数動作が停止される。
【００１４】
本発明による歯ブラシは前記実施形態のもの以外に種々の動作をするように変形できる。
歯ブラシのスイッチ２が入ってから１０秒間電源を保持するタイマ回路を電源入力制御手段６に設ける。最初のスイッチ２の動作で、音楽の再生を開始する。このタイマ機能により、１０秒間以内に再度スイッチ２が入ると音楽が継続的に途切れることなく再生される。さらに、タイマ機能も１０秒間延長されて、この１０秒間にスイッチ２が入れば、さらに電源が１０秒間保持されることになり、音楽が継続される。延長された１０秒間内にスイッチ２が入らなければ、音楽は停止する。
【００１５】
【発明の効果】
本発明は、歯ブラシの複雑な動作に対応してスイッチをオンさせることができ、音声発生装置は、前記接触式接点機構の動作に従ってなされる。したがって、従来の歯ブラシに比べて、子供から大人にいたるまで面白味や興味が湧くものとなり、しかも爽快感を促すことができると共に、幼児に対しては励ましにもなる音声機能を備えた歯ブラシ１を提供することができる。
【００１６】
第１の実施形態では、歯磨き動作に応じて振動する接触端子の振動毎にパルスを発生させる接触式接点機構２と、接触式接点機構２からのパルスを加算するカウンタ回路３と、カウンタ回路３によるパルスの加算値が所定の値に到達したときに音声メッセージまたはメロディーを発声させる発音体４とを備えたからであり、これにより、歯磨きを行なっている使用者に対し聴覚を通じて励ましのメッセージや爽快感あるメロディー等を容易に送ることができ、従来よりもまして一層の面白味や興味が湧くものとなる。
【００１７】
発音体４は、カウンタ回路３によるパルスの加算値の異なる到達値に応じて異なる音声メッセージやメロディー等を発声させるので、歯磨きの際の歯ブラシの往復回数に応じた励ましのメッセージや爽快感ある音楽等を容易に送ることができる。
【００１８】
接触式接点機構２は、歯ブラシ部１０の柄部分が弾性体による防水性のパッキング部材を介して揺動可能となるように嵌装されている中空状の把手部２０に内蔵され、前記発音体４は把手部２０末端側に内蔵されているので、振動の激しい歯ブラシ先端部の振動を柄部分の移動側接触端子を通じてパルスに容易に変換させることができ、また手指によって被覆されない把手部２０末端の発音体４により音声メッセージやメロディー等を使用者に的確に伝えることができる。
【００１９】
接触式接点機構２は歯ブラシの柄部分の端部に突設された突起状の移動側接触端子２Ｂと、移動側接触端子２Ｂがリング内中央に挿入され、歯ブラシの柄部分の振動によって当該移動側接触端子２Ｂがリング内径部に接触可能としたリング状の固定側接触端子２Ａとを備え、固定側接触端子２Ａおよび移動側接触端子２Ｂは共にカウンタ回路３の入力側に接続されており、歯磨き動作に応じて移動側接触端子２Ｂが固定側接触端子２Ａのリング内径部に接触されることでパルスを発生させカウンタ回路３に送るものとして構成したので、安価で且つ簡易な回路構成による音声機能を備えた歯ブラシ１を容易に提供することができる。
【００２０】
移動側接触端子２Ｂの振動による固定側接触端子２Ａへの最初の接触により電源スイッチの閉成状態となった際に、カウンタ回路３の作動電源入力をオン状態にすると共に、所定秒数の間にカウンタ回路３にパルスが入力しないとカウンタ回路３の作動電源入力をオフ状態にする電源入力制御手段６を備えているので、電源の消費電力の節電となり、しかもカウンタ回路３自体の補償を自動的に行なうことができる。
【図面の簡単な説明】
【図１】本発明の実施の形態における歯ブラシの概略斜視図である。
【図２】同じく回路構成を示す図である。
【符号の説明】
１　歯ブラシ
２　接触式接点機構（スイッチ）
２Ａ　固定側接触端子
２Ｂ　移動側接触端子
３　カウンタ回路
４　発音体
５　音声記録再生装置
６　電源入力制御手段
１０　歯ブラシ部
１１　ブラシ部
１２　歯ブラシの柄
１３　頭部
２０　把手部
３０　弾性連結部
４０　音声発生装置
【図１】
2004065838.tif 000003
【図２】
2004065838.tif 000004